(57)【特許請求の範囲】
【請求項１】
放射状に突出する５本の脚羽根を有する脚体と、脚体の中心部に下端部が取り付けられ高さ調節機能を有する脚支柱と、脚支柱の上端部に取り付けられた回転自在な座席体よりなり、前記脚支柱は、座席体と一体に回動自在な略円柱状のガスシリンダー本体と、ガスシリンダー本体を回動かつ昇降自在に保持し、下端部が脚体に取り付けられたサポートチューブより構成され、座席体の正面が隣接する２本の脚羽根間の中央部に位置する姿勢で、サポートチューブに設けられた回転止ネジの先端部が位置する回転止め用凹溝が、前記ガスシリンダー本体の側面上下方向に形成されるとともに、座部が最大高さとなった時、支柱カバーの下端部下方に回転止めネジが露出するよう、支柱カバーの上下方向の長さが設定されている事を特徴とする椅子。
【発明の詳細な説明】
【０００１】
【発明の属する技術分野】
本発明は、特に銀行のテラー用の椅子に関するものである。
【０００２】
【従来の技術】
従来、図６に示すように銀行のテラーは、机１ａと一体化された袖キャビネット２ａ、或いは移動可能なサイドキャビネット３ａを左右に並置して業務を行うのが常であり、更に、サービス向上のため、多人数を配して業務処理を図るため、テラーの足元周りのスペース４ａは非常に限られたものとなっていた。
一方、閉店時には反り返って休息をとる事も多く、安定性に優れた５本の脚羽根を有する椅子６ａ（以下５本脚の椅子）を使用する必要があった。
【０００３】
すなわち、５本脚の場合、着席した執務状態では、隣接する２本の脚羽根７ａ，７ａを足元周りのスペース４ａ内に入り込むようにしないと（図６に示す状態）満足な執務姿勢がとれず、又、離席時には、更に２本の脚７ａ、７ａを足元周りのスペース４ａに収納する位置まで椅子を移動させておかないと（図７に示す状態）通路スペース８ａを確保出来ない。
しかしながら、座席体９ａは脚体１０ａに対して回動自在な構成となっているので、座席体９ａの向きと脚体１０ａの向きは一致せず、着席時或いは椅子を収納する時、脚羽根７ａ・・・の端部を度々サイドキャビネット３ａ等の前面に衝突させ、机１ａ等を傷付ける原因となっていた。
この為、執務時、離席時等、その都度、脚体１０ａの向きを覗き込むように確認しながら椅子を移動させる等、非常に煩雑で使用勝手が悪かった。
【０００４】
【発明が解決しようとする課題】
本発明は、簡単な構造で、座席体の向きを机の正面に向けるだけの操作で、隣接する２本の脚羽根が、確実に足元周りのスペースに入り込む椅子を提供する事を課題とする。
【０００５】
【課題を解決する為の手段】
そこで、上記課題を解決する為、本発明が第一の手段として構成したところは、放射状に突出する５本の脚羽根を有する脚体と、脚体の中心部に下端部が取り付けられ高さ調節機能を有する脚支柱と、脚支柱の上端部に取り付けられた回転自在な座席体とよりなり、座席体の正面が、隣接する２本の脚羽根間の中央部に位置する姿勢で、座席体を脚体に対し回転不能にする回転止め装置が脚支柱に構成され、脚支柱は、座席体と一体に回動自在な略円柱状のガスシリンダー本体と、ガスシリンダー本体を回動かつ昇降自在に保持し、下端部が脚体に取り付けられたサポートチューブより構成され、座席体の正面が隣接する２本の脚羽根間の中央部に位置する姿勢で、サポートチューブに設けられた回転止ネジの先端部が位置する回転止め用凹溝が、前記ガスシリンダー本体の側面上下方向に形成されるとともに、座部が最大高さとなった時、支柱カバーの下端部下方に回転止めネジが露出するよう、支柱カバーの上下方向の長さが設定されている点にある。
【０００８】
【実施例】
以下、実施例を図１〜図５に基づいて説明する。
図１において、符号１は座席体を示し、符号２は脚体を示し、符号３は脚支柱を示している。
座席体１は、前側がやや下がり気味に傾斜した座部１１と、座部１１下面に端部が揺動可能に連結された背もたれ杆１２を介して、座部１１の後部上方に設けられた背もたれ部１３と、座部１１下面に配設された脚支柱取付部１４と、脚支柱取付部１４の下面に上端が連結された、下面が開口する円筒形の支柱カバー１５より構成されている。
支柱カバー１５は、側面上部に高さ調節用操作杆１６の先端部が嵌入する嵌入孔１５１と、上端に突出し前記脚支柱取付部１４に係合する係合突起１５２を有している。
【０００９】
脚体２は、正５角形の中心から各角部に放射状に突出する５本の脚羽根２１・・・を有し、脚羽根２１・・・の先端部にキャスター２２・・・が設けられ、中心部に上面が開口する下方が小径となったテーパー状の脚支柱取付凹部２３が形成されている。
脚支柱３は、ガスシリンダー本体３１と、ガスシリンダー本体３１を回動自在に保持し、下端部が脚体２に形成された脚支柱取付凹部２３に蜜嵌して固定されるサポートチューブ５より構成されている。
【００１０】
ガスシリンダー本体３１は、図３に示す如く上端部を上方に向かって小径となしたテーパー状の上端固定部３１１と、上端固定部３１１の下方に一体に連設されたシリンダー外筒部３１２と、シリンダー外筒部３１２の下端面中央から下方に、シリンダー外筒部３１２と回動かつ出入自在に突出するピストン軸３１３より構成され、ピストン軸３１３の下端部にはサポートチューブ５の下端面に抜け止め支持されるピストン軸固定部３１４が形成され、シリンダー外筒部３１２の上下方向には回転止め用凹溝３０１、３０１が対向して形成され、一方の回転止め用凹溝３０１の所定寸法上方に、前記高さ調節用操作杆１６の先端部が揺動自在に保持される保持孔３０２が形成されている。
【００１１】
そして、ガスシリンダー本体３１の上端固定部３１１が、座部１１下面に配設された脚支柱取付部１４に形成されたガスシリンダー取付凹部（図示せず。）に蜜嵌して固定され、座部１１の回動と共にガスシリンダー本体３１も回動する構成となっている。
【００１２】
サポートチューブ５は、図４、図５に示す如く、下端部が下方に向かって小径となるテーパー状で、脚体２に形成された脚支柱取付凹部２３に蜜嵌して固定される金属製の外筒部５１と、外筒部５１の上半部内に保持され、シリンダー外筒部３１２の上半部に外嵌して、シリンダー本体３１を回動自在に支持する合成樹脂製のサポート部材５２より構成され、金属製の外筒部５１の底部にはガスシリンダー本体３１のピストン軸固定部３１４が抜け止め連結されるシリンダー本体支持部（図示せず。）が形成されている。
【００１３】
そして、外筒部５１の上端部には、前記シリンダー本体３１の回転止め用凹溝３０１、３０１に対応する位置に回転止め用螺孔５１０、５１０が形成され、回転止め用螺孔５１０、５１０には先端部が前記回転止め用凹溝３０１、３０１内に位置する回転止めネジ５０、５０が螺合している。すなわち、シリンダー本体３１の回転止め用凹溝３０１、３０１とサポートチューブ５の回転止めネジ５０、５０にて回転止め装置が構成される。
尚、座部１１が最大高さとなった時、回転止めネジ５０、５０が前記支柱カバー１５の下端部下方に露出するよう、支柱カバー１５の上下方向の長さが設定されているので、回転止めが必要でない場所で使用する時は、座部１１を最大高さとした後、回転止めネジ５０、５０を取り外すと良い。
本発明は上記の如く構成されているので、次のような効果を有する。
【００１４】
【効果】
請求項１に記載の本発明によれば、隣接する２本の脚羽根間の中央部に座席体の正面が位置する状態で、座席体と脚体が回転不可に構成されているので、脚体が５本の脚羽根であっても、座席体の向きを机の正面に向けるだけの操作で、隣接する２本の脚羽根が、確実に足元周りのスペースに入り込む個所に位置するので、机等を傷付けたりする事がなく、テラー用の椅子として非常に使い勝手が向上する。
又、回転止め装置が脚支柱に形成されているので、構造が簡単で安価に製作できる。
さらに、回転止め装置は、ガスシリンダー本体の側面上下方向に形成された回転止め用凹溝と、ガスシリンダー本体を回動かつ昇降自在に保持し、下端部が脚体に取り付けられたサポートチューブに設けられた回転止ネジより構成されているので、前記効果に加え、座席体の昇降に支障をきたす事がなく、回転止ネジを取り外せば、従来の回転椅子として使用出来る汎用性に優れた椅子である。
【図面の簡単な説明】
【図１】  本発明の要部分解斜視図
【図２】  本発明の正面図
【図３】  シリンダー本体の正面図
【図４】  脚支柱の正面図
【図５】  図４のＡーＡ線拡大端面図
【図６】  従来例での執務状態を示す説明図
【図７】  従来例での椅子に収納状態を示す説明図
【符号の説明】
１        座席体
２        脚体
２１      脚羽根
３        脚支柱
３１      シリンダー本体
３０１    回転止め用凹溝
５        サポートチューブ
５０      回転止ネジ
【図１】
0003816732.tif 000002
【図２】
0003816732.tif 000003
【図３】
0003816732.tif 000004
【図４】
0003816732.tif 000005
【図５】
0003816732.tif 000006
【図６】
0003816732.tif 000007
【図７】
0003816732.tif 000008